(57)【要約】【課題】複数の機能を有する作動機器を外部信号で制御するもので、各機能を有効に発揮させることが出来る外部信号作動機器を提供する。【解決手段】複数のそれぞれ違う機能を有する一つの作動機器１と、その制御を行う制御装置６と、その操作をする操作設定器７と、制御装置６又は操作設定器７と間にインターフェスユニット１１を介して信号線１３で接続された電話機１２とで構成され、外出先からの携帯電話１４やＰＨＳによる外部信号で前記作動機器１を運転させるもので、前記操作設定器７には外部信号で運転する作動機器１の機能を選択する選択手段１５を備えたので、予め選択手段１５で使用する機能を選択しておくことにより、外部信号でその機能を利用出来、極めて使用勝手が良く安心して使用出来るものである。【選択図】  図１
2004173032.tif 000002
【特許請求の範囲】
【請求項１】
複数のそれぞれ違う機能を有する一つの作動機器と、その制御を行う制御装置と、その操作をする操作設定器と、制御装置又は操作設定器と間にインターフェスユニットを介して信号線で接続された電話機とで構成され、外出先からの携帯電話やＰＨＳによる外部信号で前記作動機器を運転させるものに於いて、前記操作設定器には外部信号で運転する作動機器の機能を選択する選択手段を備えた事を特徴とする外部信号作動機器。
【請求項２】
前記選択手段が選択する機能の中には、外部信号を受け付けないようにする機能も含まれている事を特徴とする請求項１記載の外部信号作動機器。
【発明の詳細な説明】
【０００１】
【発明の属する技術分野】
この発明は、外出先からの携帯電話やＰＨＳによる外部信号で、運転が開始される外部信号作動機器に関するものである。
【０００２】
【従来の技術】
従来よりこの種のものに於いては、携帯電話と室内電話機を利用して電気機器のＯＮ／ＯＦＦを行い利便性を追求するものであった。（例えば、特許文献１参照）
【０００３】
【特許文献】
特開２００１−１８９８０４号公報
【０００４】
【発明が解決しようとする課題】
ところでこの従来のものでは、電気機器のＯＮ／ＯＦＦを制御するのみであり、例えばこの電気機器が複数の機能を有するものでも、そのそれぞれの機能を有効に発揮させるような制御は出来ないものであり、しかも保安上から外部信号を受け付けないようにする選択も容易に行えないものであった。
【０００５】
【課題を解決するための手段】
この発明はこの点に着目し、上記欠点を解決する為に、複数のそれぞれ違う機能を有する一つの作動機器と、その制御を行う制御装置と、その操作をする操作設定器と、制御装置又は操作設定器と間にインタフェースユニットを介して信号線で接続された電話機とで構成され、外出先からの携帯電話やＰＨＳによる外部信号で前記作動機器を運転させるものに於いて、前記操作設定器には外部信号で運転する作動機器の機能を選択する選択手段を備えたものである。
【０００６】
これによって、使用者自身が作動機器の各機能の中から使用する一つの機能を選択手段で選択しておくことで、外出先から携帯電話を使用して自宅の電話機に特定の外部信号を送ることによって、インタフェースユニットを介して作動機器を運転させるものであり、例えば作動機器が給湯暖房装置であって、風呂の自動運転と暖房運転が各機能で、風呂の自動運転が選択手段で選択されていれば、風呂の自動運転が開始されて帰宅時には風呂が沸き上がっていて直ぐに入浴出来るものであり、又暖房が選択されていれば、自動的に暖房運転が行われて、帰宅時には部屋が暖まっているものであり、その作動機器が有する各機能を有効に利用することが出来、極めて使用勝手が良いものである。
【０００７】
又請求項２では、選択手段によって外部信号を受け付けないようにすることも選択出来るので、誤作動の心配がなく安心して使用出来ると共に、保安上も安全である。
【０００８】
【発明の実施の形態】
次に、この発明の一実施形態を図面に基づいて説明する。
１は作動機器を構成する給湯暖房装置で、給湯機能及び浴槽２と風呂循環路３で連通し、風呂の湯張りから沸き上げ、保温までの風呂の自動運転機能及び、ファンコン４と暖房循環路５で連通し、温水を循環させることで室内の暖房を行う暖房機能を有するものである。
【０００９】
６は給湯暖房装置１内に備えられた制御装置で、各部品の駆動を制御して該給湯暖房装置１に給湯、風呂の自動運転、暖房の各機能運転を行わせるものである。
７は前記制御装置６と接続したリモコンから構成された操作設定器で、設定状態を表示する表示部８と複数のスイッチから成る操作部９を有し、下方には普段は使用しないスイッチ類を隠す蓋体１０が備えられており、各スイッチの押圧による指示で制御装置６を介して給湯暖房装置１を運転させるものである。
【００１０】
１１は給湯暖房装置１内の制御装置６及び室内に設置された電話機１２と信号線１３で接続したインタフェースユニットで、電話機１２からの信号を制御信号に変換して制御装置６に供給するものである。
１４は外出先等から電話機１２に信号を送信する携帯電話で、この携帯電話１４からの外部信号で給湯暖房装置１の運転を開始させるものである。
【００１１】
１５は操作設定器７の蓋体１０で隠された部分に備えられた押圧スイッチから成る選択手段で、押圧毎に外部信号で運転を開始する給湯暖房装置１の機能を、風呂自動→暖房→受け付けない→風呂自動を表示部８に順次表示させながら選択し、選択された機能の運転を制御装置６に実施させるものである。
又運転機能が選択されると該当する運転機能スイッチの上のＬＥＤ１６、１７が点灯して、選択された機能を表示する。
【００１２】
１８は信号線１３を介してインタフェースユニット１１と接続したエアコンで、携帯電話１４からの別信号で運転が開始されるものである。
【００１３】
又制御装置６には外部信号の受け付けは一回毎で、運転終了後は外部信号を受け付けない状態に自動的に切り替わり、その都度選択手段１５を操作する必要があり、更に外部信号による運転時には同時にタイマのカウントを開始して、２４時間運転で自動的に停止する安全プログラムが予め記憶されているものである。
【００１４】
次にこの一実施形態の作動について説明すれば、先ず外出先から自動的に風呂の沸き上げや室内の暖房を行いたい時には、外出する前に操作設定器７の選択手段１５でどちらかを選択し、今例えば風呂の沸き上げを選択した場合には、風呂自動のスイッチのＬＥＤ１６が点灯することで、選択が確定したことを確認する。
【００１５】
そして、この状態で外出先から携帯電話１４で家の電話機１２に特定の外部信号を送信すれば、この信号がインタフェースユニット１１を介して制御装置６に伝わりピー音を発すると共に、該制御装置６では選択手段１５で予め選択され記憶している風呂自動運転を、給湯暖房装置１に行わせるものであり、帰宅時には風呂が沸き上がっておりいつでも入浴可能で極めて使用勝手が良いものである
【００１６】
一方選択手段１５で暖房を選択した場合には、携帯電話１４からの信号で制御装置６によって給湯暖房装置１が運転開始し、沸き上げた温水をファンコン４に流して室内の暖房を行い、帰宅時には室内が暖まっているようにすることが出来るものである。
【００１７】
又選択手段１５では受け付けしないも選択出来るので、これを選択しておけば、外部信号によって給湯暖房装置１が自動的に運転することはなくなり、携帯電話１４の誤操作で運転する心配がなく常に安心して使用出来るものである。
【００１８】
更に前にも説明したように、この外部信号の受け付けは一回のみで運転終了後は外部信号を受け付けない状態となり、又運転時間もタイマでカウントして最長を２４時間として制限を設けて、安全を確保するものである。
尚、ここでは携帯電話１４で説明したが、これに限らずＰＨＳからの外部信号でも同様にして使用出来るものである。
【００１９】
【発明の効果】
以上のようにこの発明では、使用者自身が作動機器の各機能の中から使用する一つの機能を選択手段で選択しておくことで、外出先から携帯電話を使用して自宅の電話機に特定の外部信号を送ることによって、インタフェースユニットを介して作動機器を運転させるものであり、その作動機器が有する各機能を有効に利用することが出来、極めて使用勝手が良いものである。
【００２０】
又請求項２では、選択手段によって外部信号を受け付けないようにすることも選択出来るので、誤作動の心配がなく安心して使用出来ると共に、保安上も安全である。
【図面の簡単な説明】
【図１】この発明の一実施形態の概略構成図。
【図２】同操作設定器の正面図。
【符号の説明】
１  給湯暖房装置（作動機器）
６  制御装置
７  操作設定器
１１  インタフェースユニット
１２  電話機
１３  信号線
１４  携帯電話
１５  選択手段
【図１】
2004173032.tif 000003
【図２】
2004173032.tif 000004